(57)【要約】【課題】本発明は携帯式電力自動化装置を開示した。【解決手段】装置主体、前記の装置主体の左側の設置される自動装置、前記の装置主体に設置される起動装置と前記の装置主体に設置される運搬装置を含み、前記の自動装置が前記の装置主体の左端に設置される左に向かう第一溝を含み、前記の第一溝の下側の内壁に第一電機が固定に設置され、前記の第一電機の上端に第一親ねじが動力で係合し接続され、前記の第一親ねじの上端が軸受を通じて前記の第一溝の上側の内壁に回転し係合し接続され、前記の第一親ねじに前記の第一溝の上下にスライドする昇降ブロックがねじで係合し接続され、本装置は電力で知能かつ自動的にカードを配って、人力運営時間を減少し、電力不足の時に蓄電池を取り替えればまたは充電すればよく、導線装置を外して第二起動ブロックを取れば装置を停止でき、スタッフの使用に便利を与え、応用の範囲も広い。【選択図】図1
2019204470.tif 000002
【特許請求の範囲】
【請求項１】
本発明の携帯式電力自動化装置は装置主体、前記の装置主体の左側の設置される自動装置、前記の装置主体に設置される起動装置、前記の装置主体に設置される運搬装置と前期の装置主体の左右両側に設置される固定装置を含み、前記の自動装置が前記の装置主体の左端に設置される左に向かう第一溝を含み、前記の第一溝の下側の内壁に第一電機が固定に設置され、前記の第一電機の上端に第一親ねじが動力で係合し接続され、前記の第一親ねじの上端が軸受を通じて前記の第一溝の上側の内壁に回転し係合し接続され、前記の第一親ねじに前記の第一溝の上下にスライドする昇降ブロックがねじで係合し接続され、前記の昇降ブロックの上端に上に向かう第二溝が設置され、前記の第一溝の上側の内壁に第二溝と対合する接続ブロックが固定に接続され、前記の第二溝の左側の内壁に右に向かう第三溝が設置され、前記の第三溝に前記の第三溝に左右にスライドできるかつ右端が前記の接続ブロックと対合するキャッチバーが設置され、前記の第三溝の上下側の内壁に開口が向かい合う第四溝が対称に設置され、前記のキャッチバーの上下端に前記の第四溝に挿入できるかつ前記の第四溝の内壁にスライドし係合し接続される固定ブロックが対称に固定に接続され、前記の固定ブロックの左端にその他の一端が前記の第四溝の右側の内壁に固定に接続される戻しばねが固定に接続され、前記の第三溝の左側の内壁に第一伝動筐体が連通し設置され、前記のキャッチバーの右端が前記の第一伝動筐体に挿入するかつ前記のキャッチバーの右端に前記の第一伝動筐体に左右にスライドする電機ブロックが固定に接続され、前記の第一伝動筐体の左右側の内壁に開口が向かい合う第五溝が対称に設置され、前記の電機ブロックの前後端に前記の第五溝に挿入するかつ前記の第五溝にスライドし係合し接続されるガセットブロックが対称に固定に接続され、前記の第一伝動筐体の下側の内壁に第二伝動筐体が連通し設置され、前記の電機ブロックの下端に第二電機が固定に設置され、前記の第二電機の下端に前記の第二伝動筐体に挿入する第一回転軸が動力で係合し接続され、前記の第一回転軸の下端に第一主動斜歯歯車が固定に接続され、前記の第二伝動筐体の下側の内壁に第三伝動筐体が設置され、前記の第三伝動筐体に上端が前記の第二伝動筐体に挿入するかつ前記の第一主動斜歯歯車と噛合い係合し接続される第一従動斜歯歯車が設置され、前記の第一従動斜歯歯車の軸心に前後端がそれぞれ軸受を通じて前記の第三伝動筐体の左右側の内壁に回転し係合し接続される第二回転軸が固定に接続され、前記の昇降ブロックの下端に下に向かうかつ前記の第三伝動筐体の左側の内壁と連通する第六溝が設置され、前記の第六溝に上端が前記の第二伝動筐体に挿入するかつ軸受を通じて前記の第二伝動筐体の上側の内壁に回転し係合し接続される第三回転軸が設置され、前記の第一回転軸に第一主動歯車が固定に接続され、前記の第二伝動筐体に位置する前記の第三回転軸に前記の第一主動歯車と位置合わせて噛合に係合し接続される第一従動歯車が固定に接続され、前記の第三回転軸の下端に作業ブロックが固定に接続され、前記の作業ブロックに作業装置が設置され、前記の作業装置が前記の作業ブロックの左右端に対称に固定に設置されるサポートプレートを含み、前記の昇降ブロックの下端に環状ガセット溝が左右対称に設置され、前記のサポートプレートの上端に前記の環状ガセット溝に挿入するかつスライドし係合し接続されるサポートガセットが固定に接続され、前記の作業ブロックの右端に右に向かう第七溝が設置され、前記の第七溝に下端が軸受を通じて前記の第七溝の下側の内壁に回転し係合し接続される第二親ねじが設置され、前記の第六溝の上内壁に下に向かう環状溝が設置され、前記の環状溝の内壁に軸受ガセット装置がスライドし係合し接続され、前記の第二親ねじの上端が前記の第六溝に挿入するかつ軸受を通じて前記の軸受ガセット装置の下端に回転し係合し接続され、前記の第六溝に位置する前記の第二親ねじに右端が前記の第三伝動筐体に挿入する第二従動斜歯歯車が固定に接続され、前記の第二回転軸に前記の第二従動斜歯歯車と噛合い係合し接続される第二主動斜歯歯車が固定に接続され、前記の第七溝に位置する前記の第二親ねじに前記の第七溝に上下に移動する挟みブロックがねじで係合し接続され、前記の挟みブロックに排気装置が固定に設置され、前記の挟みブロックの右端に右に向かう第八溝が設置され、前記の第八溝の上側の内壁と前記の排気装置の間に空気バイブが連通し設置され、前記の第八溝に上下にスライドする挟み板が設置され、前記の挟み板の上端が前記の空気バイブの押出装置に固定に接続され、前記の起動装置が前記の装置主体の上端に設置される上に向かう第九溝を含み、前記の第九溝に第一起動ブロックが回転軸を通じて回転し係合し接続され、前記の第一起動ブロックの上端に上に向かう第十溝が設置され、前記の第十溝の左右側の内壁に第一スルーホールが対称に設置され、前記の第十溝の左右側の内壁と前記の第一スルーホールの下側に第二スルーホールが対称に設置され、前記の第九溝の左右側の内壁に開口が向かい合うかつそれぞれ前記の第一スルーホール及び第二スルーホールと位置合わせの第十一溝と第十二溝が対称に設置され、前記の第十一溝と第一スルーホールに左右にスライドする第一引掛りブロックが設置され、前記の第一引掛りブロックの上下端に前記の第一スルーホールの上下側の内壁に対称に設置される開口が相対する導滑溝に挿入する第一定向ブロックが固定に接続され、前記の第一定向ブロックの右端に一端が前記の導滑溝に固定に接続されるかつ前記の第十一溝の片側の内壁に近接する第一ばねが固定に接続され、前記の第二スルーホールに左右にスライドする第二引掛りブロックが設置され、前記の第二スルーホールの上下側の内壁に開口が相対する定向溝が対称に設置され、前記の第二引掛りブロックの上下端に前記の定向溝に挿入するかつ左右にスライドする第二定向ブロックが対称に固定に設置され、前記の第二スルーホールに左右にスライドするかつ前記の第二引掛りブロックと当たるかつ一端が前記の第十二溝に挿入する第三引掛りブロックが設置され、前記の第三引掛りブロックと前記の第十二溝の間に第二ばねが固定に接続され、前記の第十溝に前記の第十溝に上下にスライドするかつ下端が前記の第二引掛りブロックと対合する第二起動ブロックが設置され、前記の第二起動ブロックの左右側の内壁に前記の第一引掛りブロックと対合するカードスロット対称に設置され、前記の第二起動ブロックの上端に握りブロックが接続され、前記の第一起動ブロックの上端に上に向かう第十三溝が左右対称に設置され、前記の握りブロックの下端に前記の第十三溝と対合する第四引掛りブロックが左右対称で固定に接続され、前記の第二起動ブロックの下側の内壁に導線装置が固定に設置され、前記の第九溝の右側の内壁に導線を通じて前記の第九溝に連通する蓄電池が固定に設置され、前記の第九溝の左側の内壁に総電力出力導線が設置され、前記の運搬装置が前記の第九溝の下側の内壁にある運搬筐体を含み、前記の運搬筐体に運搬輪装置が設置され、前記の運搬筐体の下側の内壁の右側にカード筐体が連通し設置され、前記のカード筐体の右側の内壁に右に向かう第十四溝が設置され、前記の第十四溝の上側の内壁に第三電機が固定に設置され、前記の第三電機の下端に下端が軸受を通じて前記の第十四溝の下側の内壁に回転し係合し接続される第三親ねじが動力で係合し接続され、前記の第三親ねじに前記の第十四溝に上下にスライドする運搬板がねじで係合し接続され、前記のカード筐体の左側の内壁に前記の運搬筐体に連通するかつ前記の第八溝と位置合わせるカード出し穴が貫通し設置され、前記の蓄電池の上端に装置主体を通過する充電導線が電機で設置され、前記の充電導線が前記の蓄電池に充電でき、前記の蓄電池の右側にボルトを通じて前記の装置主体の右端に係合し接続し固定される封鎖板が設置され、前記の封鎖板を開けて前記の蓄電池を取り替えることができ、前記の装置主体の左端面の上端に感応装置が固定に接続され、前記の感応装置がスタッフに感応すると装置を作業させ、前記の第八溝の左側の内壁にカード感応器が固定に接続され、前記の固定装置が前記の装置主体の左右両端に対称で固定に接続される底板ブロックを含み、前記の底板ブロックに上下に貫通するボルト穴が設置され、前記のボルト穴と地面をボルトで係合し接続することで装置の安定性を増加できる。
【発明の詳細な説明】
【技術分野】
【０００１】
本発明は機電自動化分野に関し、具体的には、携帯式電力自動化装置である。
【背景技術】
【０００２】
我が国は現在に自動化技術レバルがますます向上し、生活においても自動化装置を使用することがある。例えば、公の場所でカードを配るまたは道路でカードを取り出す時に電力駆動の自動化装置が必要だと思う。従来の装置より電力で知能かつ自動化のカードの配りができ、電力不足の時に蓄電池を取り替えればまたは充電すればよく、導線装置を外して第二起動ブロックを取れば装置を停止でき、スタッフの使用に便利を与え、応用の範囲も広い。したがって、知能化の携帯式電力自動化装置を設計するのが実に必要である。
【先行技術文献】
【特許文献】
【０００３】
【特許文献１】中国特許出願公開第104092580号明細書
【発明の概要】
【発明が解決しようとする課題】
【０００４】
本発明の目的は上記の背景技術に提出された問題を解決するための携帯式電力自動化装置を提供することにある。
【０００５】
上記の目的を実現するために、本発明には、本発明の携帯式電力自動化装置は装置主体、前記の装置主体の左側の設置される自動装置、前記の装置主体に設置される起動装置、前記の装置主体に設置される運搬装置と前期の装置主体の左右両側に設置される固定装置を含み、前記の自動装置が前記の装置主体の左端に設置される左に向かう第一溝を含み、前記の第一溝の下側の内壁に第一電機が固定に設置され、前記の第一電機の上端に第一親ねじが動力で係合し接続され、前記の第一親ねじの上端が軸受を通じて前記の第一溝の上側の内壁に回転し係合し接続され、前記の第一親ねじに前記の第一溝の上下にスライドする昇降ブロックがねじで係合し接続され、前記の昇降ブロックの上端に上に向かう第二溝が設置され、前記の第一溝の上側の内壁に第二溝と対合する接続ブロックが固定に接続され、前記の第二溝の左側の内壁に右に向かう第三溝が設置され、前記の第三溝に前記の第三溝に左右にスライドできるかつ右端が前記の接続ブロックと対合するキャッチバーが設置され、前記の第三溝の上下側の内壁に開口が向かい合う第四溝が対称に設置され、前記のキャッチバーの上下端に前記の第四溝に挿入できるかつ前記の第四溝の内壁にスライドし係合し接続される固定ブロックが対称に固定に接続され、前記の固定ブロックの左端にその他の一端が前記の第四溝の右側の内壁に固定に接続される戻しばねが固定に接続され、前記の第三溝の左側の内壁に第一伝動筐体が連通し設置され、前記のキャッチバーの右端が前記の第一伝動筐体に挿入するかつ前記のキャッチバーの右端に前記の第一伝動筐体に左右にスライドする電機ブロックが固定に接続され、前記の第一伝動筐体の左右側の内壁に開口が向かい合う第五溝が対称に設置され、前記の電機ブロックの前後端に前記の第五溝に挿入するかつ前記の第五溝にスライドし係合し接続されるガセットブロックが対称に固定に接続され、前記の第一伝動筐体の下側の内壁に第二伝動筐体が連通し設置され、前記の電機ブロックの下端に第二電機が固定に設置され、前記の第二電機の下端に前記の第二伝動筐体に挿入する第一回転軸が動力で係合し接続され、前記の第一回転軸の下端に第一主動斜歯歯車が固定に接続され、前記の第二伝動筐体の下側の内壁に第三伝動筐体が設置され、前記の第三伝動筐体に上端が前記の第二伝動筐体に挿入するかつ前記の第一主動斜歯歯車と噛合い係合し接続される第一従動斜歯歯車が設置され、前記の第一従動斜歯歯車の軸心に前後端がそれぞれ軸受を通じて前記の第三伝動筐体の左右側の内壁に回転し係合し接続される第二回転軸が固定に接続され、前記の昇降ブロックの下端に下に向かうかつ前記の第三伝動筐体の左側の内壁と連通する第六溝が設置され、前記の第六溝に上端が前記の第二伝動筐体に挿入するかつ軸受を通じて前記の第二伝動筐体の上側の内壁に回転し係合し接続される第三回転軸が設置され、前記の第一回転軸に第一主動歯車が固定に接続され、前記の第二伝動筐体に位置する前記の第三回転軸に前記の第一主動歯車と位置合わせて噛合に係合し接続される第一従動歯車が固定に接続され、前記の第三回転軸の下端に作業ブロックが固定に接続され、前記の作業ブロックに作業装置が設置される。
【０００６】
好ましい技術プランとして、前記の作業装置が前記の作業ブロックの左右端に対称に固定に設置されるサポートプレートを含み、前記の昇降ブロックの下端に環状ガセット溝が左右対称に設置され、前記のサポートプレートの上端に前記の環状ガセット溝に挿入するかつスライドし係合し接続されるサポートガセットが固定に接続され、前記の作業ブロックの右端に右に向かう第七溝が設置され、前記の第七溝に下端が軸受を通じて前記の第七溝の下側の内壁に回転し係合し接続される第二親ねじが設置され、前記の第六溝の上内壁に下に向かう環状溝が設置され、前記の環状溝の内壁に軸受ガセット装置がスライドし係合し接続され、前記の第二親ねじの上端が前記の第六溝に挿入するかつ軸受を通じて前記の軸受ガセット装置の下端に回転し係合し接続され、前記の第六溝に位置する前記の第二親ねじに右端が前記の第三伝動筐体に挿入する第二従動斜歯歯車が固定に接続され、前記の第二回転軸に前記の第二従動斜歯歯車と噛合い係合し接続される第二主動斜歯歯車が固定に接続され、前記の第七溝に位置する前記の第二親ねじに前記の第七溝に上下に移動する挟みブロックがねじで係合し接続され、前記の挟みブロックに排気装置が固定に設置され、前記の挟みブロックの右端に右に向かう第八溝が設置され、前記の第八溝の上側の内壁と前記の排気装置の間に空気バイブが連通し設置され、前記の第八溝に上下にスライドする挟み板が設置され、前記の挟み板の上端が前記の空気バイブの押出装置に固定に接続される。
【０００７】
好ましい技術プランとして、前記の起動装置が前記の装置主体の上端に設置される上に向かう第九溝を含み、前記の第九溝に第一起動ブロックが回転軸を通じて回転し係合し接続され、前記の第一起動ブロックの上端に上に向かう第十溝が設置され、前記の第十溝の左右側の内壁に第一スルーホールが対称に設置され、前記の第十溝の左右側の内壁と前記の第一スルーホールの下側に第二スルーホールが対称に設置され、前記の第九溝の左右側の内壁に開口が向かい合うかつそれぞれ前記の第一スルーホール及び第二スルーホールと位置合わせの第十一溝と第十二溝が対称に設置され、前記の第十一溝と第一スルーホールに左右にスライドする第一引掛りブロックが設置され、前記の第一引掛りブロックの上下端に前記の第一スルーホールの上下側の内壁に対称に設置される開口が相対する導滑溝に挿入する第一定向ブロックが固定に接続され、前記の第一定向ブロックの右端に一端が前記の導滑溝に固定に接続されるかつ前記の第十一溝の片側の内壁に近接する第一ばねが固定に接続され、前記の第二スルーホールに左右にスライドする第二引掛りブロックが設置され、前記の第二スルーホールの上下側の内壁に開口が相対する定向溝が対称に設置され、前記の第二引掛りブロックの上下端に前記の定向溝に挿入するかつ左右にスライドする第二定向ブロックが対称に固定に設置され、前記の第二スルーホールに左右にスライドするかつ前記の第二引掛りブロックと当たるかつ一端が前記の第十二溝に挿入する第三引掛りブロックが設置され、前記の第三引掛りブロックと前記の第十二溝の間に第二ばねが固定に接続され、前記の第十溝に前記の第十溝に上下にスライドするかつ下端が前記の第二引掛りブロックと対合する第二起動ブロックが設置され、前記の第二起動ブロックの左右側の内壁に前記の第一引掛りブロックと対合するカードスロット対称に設置され、前記の第二起動ブロックの上端に握りブロックが接続され、前記の第一起動ブロックの上端に上に向かう第十三溝が左右対称に設置され、前記の握りブロックの下端に前記の第十三溝と対合する第四引掛りブロックが左右対称で固定に接続され、前記の第二起動ブロックの下側の内壁に導線装置が固定に設置され、前記の第九溝の右側の内壁に導線を通じて前記の第九溝に連通する蓄電池が固定に設置され、前記の第九溝の左側の内壁に総電力出力導線が設置される。
【０００８】
好ましい技術プランとして、前記の運搬装置が前記の第九溝の下側の内壁にある運搬筐体を含み、前記の運搬筐体に運搬輪装置が設置され、前記の運搬筐体の下側の内壁の右側にカード筐体が連通し設置され、前記のカード筐体の右側の内壁に右に向かう第十四溝が設置され、前記の第十四溝の上側の内壁に第三電機が固定に設置され、前記の第三電機の下端に下端が軸受を通じて前記の第十四溝の下側の内壁に回転し係合し接続される第三親ねじが動力で係合し接続され、前記の第三親ねじに前記の第十四溝に上下にスライドする運搬板がねじで係合し接続され、前記のカード筐体の左側の内壁に前記の運搬筐体に連通するかつ前記の第八溝と位置合わせるカード出し穴が貫通し設置される。
【０００９】
好ましい技術プランとして、前記の蓄電池の上端に装置主体を通過する充電導線が電機で設置され、前記の充電導線が前記の蓄電池に充電でき、前記の蓄電池の右側にボルトを通じて前記の装置主体の右端に係合し接続し固定される封鎖板が設置され、前記の封鎖板を開けて前記の蓄電池を取り替えることができる。
【００１０】
好ましい技術プランとして、前記の装置主体の左端面の上端に感応装置が固定に接続され、前記の感応装置がスタッフに感応すると装置を作業させ、前記の第八溝の左側の内壁にカード感応器が固定に接続される。
【００１１】
好ましい技術プランとして、前記の固定装置が前記の装置主体の左右両端に対称で固定に接続される底板ブロックを含み、前記の底板ブロックに上下に貫通するボルト穴が設置され、前記のボルト穴と地面をボルトで係合し接続することで装置の安定性を増加できる。
【発明の効果】
【００１２】
本発明の有益効果は：本発明は構造が簡単で、操作が便利で、本装置を通じて自動化カード取り作業を行う時、本装置を通じて自動化カード取り作業を行う時、スタッフが第二起動ブロックを挿入することで第一引掛りブロックをカードスロットに挿入させ、第二引掛りブロックが第二スルーホールに押し込まれて第三引掛りブロックを連れて第十二溝に挿入して第一起動ブロックに引っ掛らなく、この時、第四引掛りブロックが第十三溝に挿入して第一起動ブロックを回転し、導線装置を総電力出力導線と位置合わせて装置に電流を通し、この時に、感応装置が感応する時に運搬輪装置が回転してカードを第八溝に入れ、カード感応器が感応し、排気装置が起動してカードを挟み、この後、第二電機が起動して第一主動歯車を連れて回転して第一従動斜歯歯車を連れて回転し、それによって第二回転軸が第二主動斜歯歯車を連れて回転し、それによって第二従動斜歯歯車が第二親ねじを連れて回転して挟みブロックを上に移動し、同時に第一電機が起動して第一親ねじを連れて回転して昇降ブロックを一番高いところに移動し、この時、第二電機が第二溝に挿入してキャッチバーを左に移動し、それによって電機ブロックが左に移動し、第一主動歯車と第一従動歯車が噛み合い、第二電機が起動して第三回転軸を連れて作業ブロックを回転し、それによって第八溝が回転してスタッフに向かい、カードが取り出された後で初期状態に戻り、第一電機が回転して昇降ブロックを連れて下に移動し、キャッチバーが初期位置に戻り、電機ブロックが右に移動して初期状態に戻る時に第二電機が起動して第二親ねじを連れて回転し、挟みブロックが初期状態に戻って次のスタッフを待ち、電力が不足になると充電導線を通じて蓄電池に充電でき、封鎖板を開けて蓄電池を取り替えることができ、本装置は電力で知能かつ自動的にカードを配って、人力運営時間を減少し、電力不足の時に蓄電池を取り替えればまたは充電すればよく、導線装置を外して第二起動ブロックを取れば装置を停止でき、スタッフの使用に便利を与え、応用の範囲も広い。
【図面の簡単な説明】
【００１３】
説明しやすいため、本発明は以下の具体的な実施例と付図を交え詳しく説明する。
【００１４】
【図１】図1は本発明の携帯式電力自動化装置の内部構造概略図である。
【図２】図2は図1の“A”の拡大概略図である。
【図３】図3は図1の“B”の拡大概略図である。
【発明を実施するための形態】
【００１５】
図1〜3が示すように、本発明の携帯式電力自動化装置は装置主体10、前記の装置主体10の左側の設置される自動装置、前記の装置主体10に設置される起動装置、前記の装置主体10に設置される運搬装置と前期の装置主体10の左右両側に設置される固定装置を含み、前記の自動装置が前記の装置主体10の左端に設置される左に向かう第一溝11を含み、前記の第一溝11の下側の内壁に第一電機12が固定に設置され、前記の第一電機12の上端に第一親ねじ13が動力で係合し接続され、前記の第一親ねじ13の上端が軸受を通じて前記の第一溝11の上側の内壁に回転し係合し接続され、前記の第一親ねじ13に前記の第一溝11の上下にスライドする昇降ブロック14がねじで係合し接続され、前記の昇降ブロック14の上端に上に向かう第二溝15が設置され、前記の第一溝11の上側の内壁に第二溝15と対合する接続ブロック25が固定に接続され、前記の第二溝15の左側の内壁に右に向かう第三溝16が設置され、前記の第三溝16に前記の第三溝に左右にスライドできるかつ右端が前記の接続ブロック25と対合するキャッチバー17が設置され、前記の第三溝16の上下側の内壁に開口が向かい合う第四溝18が対称に設置され、前記のキャッチバー17の上下端に前記の第四溝18に挿入できるかつ前記の第四溝18の内壁にスライドし係合し接続される固定ブロック19が対称に固定に接続され、前記の固定ブロック19の左端にその他の一端が前記の第四溝18の右側の内壁に固定に接続される戻しばね20が固定に接続され、前記の第三溝16の左側の内壁に第一伝動筐体21が連通し設置され、前記のキャッチバー17の右端が前記の第一伝動筐体21に挿入するかつ前記のキャッチバー17の右端に前記の第一伝動筐体21に左右にスライドする電機ブロック23が固定に接続され、前記の第一伝動筐体21の左右側の内壁に開口が向かい合う第五溝22が対称に設置され、前記の電機ブロック23の前後端に前記の第五溝22に挿入するかつ前記の第五溝22にスライドし係合し接続されるガセットブロックが対称に固定に接続され、前記の第一伝動筐体21の下側の内壁に第二伝動筐体24が連通し設置され、前記の電機ブロック23の下端に第二電機25が固定に設置され、前記の第二電機25の下端に前記の第二伝動筐体24に挿入する第一回転軸26が動力で係合し接続され、前記の第一回転軸26の下端に第一主動斜歯歯車27が固定に接続され、前記の第二伝動筐体24の下側の内壁に第三伝動筐体28が設置され、前記の第三伝動筐体28に上端が前記の第二伝動筐体24に挿入するかつ前記の第一主動斜歯歯車27と噛合い係合し接続される第一従動斜歯歯車29が設置され、前記の第一従動斜歯歯車29の軸心に前後端がそれぞれ軸受を通じて前記の第三伝動筐体28の左右側の内壁に回転し係合し接続される第二回転軸30が固定に接続され、前記の昇降ブロック14の下端に下に向かうかつ前記の第三伝動筐体28の左側の内壁と連通する第六溝31が設置され、前記の第六溝31に上端が前記の第二伝動筐体24に挿入するかつ軸受を通じて前記の第二伝動筐体24の上側の内壁に回転し係合し接続される第三回転軸32が設置され、前記の第一回転軸26に第一主動歯車35が固定に接続され、前記の第二伝動筐体24に位置する前記の第三回転軸32に前記の第一主動歯車35と位置合わせて噛合に係合し接続される第一従動歯車33が固定に接続され、前記の第三回転軸32の下端に作��ブロック34が固定に接続され、前記の作業ブロック34に作業装置が設置される。
【００１６】
有益なことは、前記の作業装置が前記の作業ブロック34の左右端に対称に固定に設置されるサポートプレート84を含み、前記の昇降ブロック14の下端に環状ガセット溝86が左右対称に設置され、前記のサポートプレート84の上端に前記の環状ガセット溝86に挿入するかつスライドし係合し接続されるサポートガセット85が固定に接続され、前記の作業ブロック34の右端に右に向かう第七溝36が設置され、前記の第七溝36に下端が軸受を通じて前記の第七溝36の下側の内壁に回転し係合し接続される第二親ねじ37が設置され、前記の第六溝31の上内壁に下に向かう環状溝38が設置され、前記の環状溝38の内壁に軸受ガセット装置39がスライドし係合し接続され、前記の第二親ねじ37の上端が前記の第六溝31に挿入するかつ軸受を通じて前記の軸受ガセット装置39の下端に回転し係合し接続され、前記の第六溝31に位置する前記の第二親ねじ37に右端が前記の第三伝動筐体28に挿入する第二従動斜歯歯車40が固定に接続され、前記の第二回転軸30に前記の第二従動斜歯歯車40と噛合い係合し接続される第二主動斜歯歯車41が固定に接続され、前記の第七溝36に位置する前記の第二親ねじ37に前記の第七溝36に上下に移動する挟みブロック42がねじで係合し接続され、前記の挟みブロック42に排気装置43が固定に設置され、前記の挟みブロック42の右端に右に向かう第八溝44が設置され、前記の第八溝44の上側の内壁と前記の排気装置43の間に空気バイブ45が連通し設置され、前記の第八溝44に上下にスライドする挟み板46が設置され、前記の挟み板46の上端が前記の空気バイブ45の押出装置47に固定に接続される。
【００１７】
有益なことは、前記の起動装置が前記の装置主体10の上端に設置される上に向かう第九溝48を含み、前記の第九溝48に第一起動ブロック49が回転軸を通じて回転し係合し接続され、前記の第一起動ブロック49の上端に上に向かう第十溝50が設置され、前記の第十溝50の左右側の内壁に第一スルーホール51が対称に設置され、前記の第十溝50の左右側の内壁と前記の第一スルーホール51の下側に第二スルーホール52が対称に設置され、前記の第九溝48の左右側の内壁に開口が向かい合うかつそれぞれ前記の第一スルーホール51及び第二スルーホール52と位置合わせの第十一溝53と第十二溝54が対称に設置され、前記の第十一溝53と第一スルーホール51に左右にスライドする第一引掛りブロック55が設置され、前記の第一引掛りブロック55の上下端に前記の第一スルーホール51の上下側の内壁に対称に設置される開口が相対する導滑溝56に挿入する第一定向ブロック57が固定に接続され、前記の第一定向ブロック57の右端に一端が前記の導滑溝56に固定に接続されるかつ前記の第十一溝53の片側の内壁に近接する第一ばね58が固定に接続され、前記の第二スルーホール52に左右にスライドする第二引掛りブロック59が設置され、前記の第二スルーホール52の上下側の内壁に開口が相対する定向溝60が対称に設置され、前記の第二引掛りブロック59の上下端に前記の定向溝60に挿入するかつ左右にスライドする第二定向ブロック61が対称に固定に設置され、前記の第二スルーホール52に左右にスライドするかつ前記の第二引掛りブロック59と当たるかつ一端が前記の第十二溝54に挿入する第三引掛りブロック62が設置され、前記の第三引掛りブロック62と前記の第十二溝54の間に第二ばね63が固定に接続され、前記の第十溝50に前記の第十溝50に上下にスライドするかつ下端が前記の第二引掛りブロック59と対合する第二起動ブロック64が設置され、前記の第二起動ブロック64の左右側の内壁に前記の第一引掛りブロック55と対合するカードスロット65対称に設置され、前記の第二起動ブロック64の上端に握りブロック66が接続され、前記の第一起動ブロック49の上端に上に向かう第十三溝67が左右対称に設置され、前記の握りブロック66の下端に前記の第十三溝67と対合する第四引掛りブロック68が左右対称で固定に接続され、前記の第二起動ブロック64の下側の内壁に導線装置69が固定に設置され、前記の第九溝48の右側の内壁に導線を通じて前記の第九溝48に連通する蓄電池70が固定に設置され、前記の第九溝48の左側の内壁に総電力出力導線71が設置される。
【００１８】
有益なことは、前記の運搬装置が前記の第九溝48の下側の内壁にある運搬筐体72を含み、前記の運搬筐体72に運搬輪装置73が設置され、前記の運搬筐体72の下側の内壁の右側にカード筐体74が連通し設置され、前記のカード筐体74の右側の内壁に右に向かう第十四溝75が設置され、前記の第十四溝75の上側の内壁に第三電機76が固定に設置され、，前記の第三電機76の下端に下端が軸受を通じて前記の第十四溝75の下側の内壁に回転し係合し接続される第三親ねじ77が動力で係合し接続され、前記の第三親ねじ77に前記の第十四溝75に上下にスライドする運搬板78がねじで係合し接続され、前記のカード筐体74の左側の内壁に前記の運搬筐体に連通するかつ前記の第八溝44と位置合わせるカード出し穴79が貫通し設置される。
【００１９】
有益なことは、前記の蓄電池70の上端に装置主体10を通過する充電導線80が電機で設置され、前記の充電導線80が前記の蓄電池70に充電でき、前記の蓄電池70の右側にボルトを通じて前記の装置主体10の右端に係合し接続し固定される封鎖板81が設置され、前記の封鎖板81を開けて前記の蓄電池70を取り替えることができる。
【００２０】
有益なことは、前記の装置主体10の左端面の上端に感応装置82が固定に接続され、前記の感応装置82がスタッフに感応すると装置を作業させ、前記の第八溝44の左側の内壁にカード感応器83が固定に接続される。
【００２１】
有益なことは、前記の固定装置が前記の装置主体10の左右両端に対称で固定に接続される底板ブロック90を含み、前記の底板ブロック90に上下に貫通するボルト穴91が設置され、前記のボルト穴91と地面をボルトで係合し接続することで装置の安定性を増加できる。
【００２２】
初期状態にある時、挟みブロック42が一番下側にあるかつ第八溝44の開口がカード出し穴79に向かい、昇降ブロック14が一番下端にあり、電機ブロック23が一番右側で第一主動歯車57と第一従動斜歯歯車29を噛合で係合し接続させ、第一引掛りブロック55が第一スルーホール51に挿入して引掛り、第三引掛りブロック62が第二スルーホール52に挿入して引掛り、導線装置69が総電力出力導線71と外れて接続されていない。
【００２３】
本装置を通じて自動化カード取り作業を行う時、スタッフが第二起動ブロック64を挿入することで第一引掛りブロック55をカードスロット65に挿入させ、第二引掛りブロック59が第二スルーホール52に押し込まれて第三引掛りブロック62を連れて第十二溝54に挿入して第一起動ブロック49に引っ掛らなく、この時、第四引掛りブロック68が第十三溝67に挿入して第一起動ブロック49を回転し、導線装置69を総電力出力導線71と位置合わせて装置に電流を通し、この時に、感応装置82が感応する時に運搬輪装置73が回転してカードを第八溝44に入れ、カード感応器83が感応し、排気装置が起動してカードを挟み、この後、第二電機25が起動して第一主動歯車57を連れて回転して第一従動斜歯歯車29を連れて回転し、それによって第二回転軸30が第二主動斜歯歯車41を連れて回転し、それによって第二従動斜歯歯車40が第二親ねじ37を連れて回転して挟みブロック42を上に移動し、同時に第一電機12が起動して第一親ねじ13を連れて回転して昇降ブロック14を一番高いところに移動し、この時、第二電機25が第二溝15に挿入してキャッチバー17を左に移動し、それによって電機ブロック23が左に移動し、第一主動歯車35と第一従動歯車33が噛み合い、第二電機25が起動して第三回転軸を連れて作業ブロックを回転し、それによって第八溝44が回転してスタッフに向かい、カードが取り出された後で初期状態に戻り、第一電機12が回転して昇降ブロック14を連れて下に移動し、キャッチバー17が初期位置に戻り、電機ブロック23が右に移動して初期状態に戻る時に第二電機25が起動して第二親ねじ37を連れて回転し、挟みブロック42が初期状態に戻って次のスタッフを待ち、電力が不足になると充電導線80を通じて蓄電池70に充電でき、封鎖板81を開けて蓄電池を取り替えることができる。
【図１】
2019204470.tif 000003
【図２】
2019204470.tif 000004
【図３】
2019204470.tif 000005
【手続補正書】
【提出日】平成31年4月17日(2019.4.17)
【手続補正１】
【補正対象書類名】特許請求の範囲
【補正対象項目名】請求項１
【補正方法】変更
【補正の内容】
【請求項１】
携帯式電力自動化装置であって、
装置主体、前記の装置主体の左側の設置される自動装置、前記の装置主体に設置される起動装置、前記の装置主体に設置される運搬装置と前記の装置主体の左右両側に設置される固定装置を含み、
前記の自動装置が前記の装置主体の左端に設置される左に向かう第一溝を含み、前記の第一溝の下側の内壁に第一電機が固定に設置され、前記の第一電機の上端に第一親ねじが動力で係合し接続され、前記の第一親ねじの上端が軸受を通じて前記の第一溝の上側の内壁に回転し係合し接続され、前記の第一親ねじに前記の第一溝の上下にスライドする昇降ブロックがねじで係合し接続され、前記の昇降ブロックの上端に上に向かう第二溝が設置され、前記の第一溝の上側の内壁に第二溝と対合する接続ブロックが固定に接続され、前記の第二溝の左側の内壁に右に向かう第三溝が設置され、前記の第三溝に前記の第三溝に左右にスライドできるかつ右端が前記の接続ブロックと対合するキャッチバーが設置され、前記の第三溝の上下側の内壁に開口が向かい合う第四溝が対称に設置され、前記のキャッチバーの上下端に前記の第四溝に挿入できるかつ前記の第四溝の内壁にスライドし係合し接続される固定ブロックが対称に固定に接続され、前記の固定ブロックの左端にその他の一端が前記の第四溝の右側の内壁に固定に接続される戻しばねが固定に接続され、前記の第三溝の左側の内壁に第一伝動筐体が連通し設置され、前記のキャッチバーの左端が前記の第一伝動筐体に挿入するかつ前記のキャッチバーの左端に前記の第一伝動筐体に左右にスライドする電機ブロックが固定に接続され、前記の第一伝動筐体の左右側の内壁に開口が向かい合う第五溝が対称に設置され、前記の電機ブロックの前後端に前記の第五溝に挿入するかつ前記の第五溝にスライドし係合し接続されるガセットブロックが対称に固定に接続され、前記の第一伝動筐体の下側の内壁に第二伝動筐体が連通し設置され、前記の電機ブロックの下端に第二電機が固定に設置され、前記の第二電機の下端に前記の第二伝動筐体に挿入する第一回転軸が動力で係合し接続され、前記の第一回転軸の下端に第一主動斜歯歯車が固定に接続され、前記の第二伝動筐体の下側の内壁に第三伝動筐体が設置され、前記の第三伝動筐体に上端が前記の第二伝動筐体に挿入するかつ前記の第一主動斜歯歯車と噛合い係合し接続される第一従動斜歯歯車が設置され、前記の第一従動斜歯歯車の軸心に前後端がそれぞれ軸受を通じて前記の第三伝動筐体の左右側の内壁に回転し係合し接続される第二回転軸が固定に接続され、前記の昇降ブロックの下端に下に向かうかつ前記の第三伝動筐体の左側の内壁と連通する第六溝が設置され、前記の第六溝に上端が前記の第二伝動筐体に挿入するかつ軸受を通じて前記の第二伝動筐体の上側の内壁に回転し係合し接続される第三回転軸が設置され、前記の第一回転軸に第一主動歯車が固定に接続され、前記の第二伝動筐体に位置する前記の第三回転軸に前記の第一主動歯車と位置合わせて噛合に係合し接続される第一従動歯車が固定に接続され、前記の第三回転軸の下端に作業ブロックが固定に接続され、前記の作業ブロックに作業装置が設置され、
前記の作業装置が前記の作業ブロックの左右端に対称に固定に設置されるサポートプレートを含み、前記の昇降ブロックの下端に環状ガセット溝が左右対称に設置され、前記のサポートプレートの上端に前記の環状ガセット溝に挿入するかつスライドし係合し接続されるサポートガセットが固定に接続され、前記の作業ブロックの右端に右に向かう第七溝が設置され、前記の第七溝に下端が軸受を通じて前記の第七溝の下側の内壁に回転し係合し接続される第二親ねじが設置され、前記の第六溝の上内壁に下に向かう環状溝が設置され、前記の環状溝の内壁に軸受ガセット装置がスライドし係合し接続され、前記の第二親ねじの上端が前記の第六溝に挿入するかつ軸受を通じて前記の軸受ガセット装置の下端に回転し係合し接続され、前記の第六溝に位置する前記の第二親ねじに右端が前記の第三伝動筐体に挿入する第二従動斜歯歯車が固定に接続され、前記の第二回転軸に前記の第二従動斜歯歯車と噛合い係合し接続される第二主動斜歯歯車が固定に接続され、前記の第七溝に位置する前記の第二親ねじに前記の第七溝に上下に移動する挟みブロックがねじで係合し接続され、前記の挟みブロックに排気装置が固定に設置され、前記の挟みブロックの右端に右に向かう第八溝が設置され、前記の第八溝の上側の内壁と前記の排気装置の間に空気バイブが連通し設置され、前記の第八溝に上下にスライドする挟み板が設置され、前記の挟み板の上端が前記の空気バイブの押出装置に固定に接続され、
前記の起動装置が前記の装置主体の上端に設置される上に向かう第九溝を含み、前記の第九溝に第一起動ブロックが回転軸を通じて回転し係合し接続され、前記の第一起動ブロックの上端に上に向かう第十溝が設置され、前記の第十溝の左右側の内壁に第一スルーホールが対称に設置され、前記の第十溝の左右側の内壁と前記の第一スルーホールの下側に第二スルーホールが対称に設置され、前記の第九溝の左右側の内壁に開口が向かい合うかつそれぞれ前記の第一スルーホール及び第二スルーホールと位置合わせの第十一溝と第十二溝が対称に設置され、前記の第十一溝と第一スルーホールに左右にスライドする第一引掛りブロックが設置され、前記の第一引掛りブロックの上下端に前記の第一スルーホールの上下側の内壁に対称に設置される開口が相対する導滑溝に挿入する第一定向ブロックが固定に接続され、前記の第一定向ブロックの右端又は左端には、一端が前記の導滑溝のうち前記の第十一溝の片側に近接する内壁に固定的に接続される第一ばねが、固定的に接続され、前記の第二スルーホールに左右にスライドする第二引掛りブロックが設置され、前記の第二スルーホールの上下側の内壁に開口が相対する定向溝が対称に設置され、前記の第二引掛りブロックの上下端に前記の定向溝に挿入するかつ左右にスライドする第二定向ブロックが対称に固定に設置され、前記の第二スルーホールに左右にスライドするかつ前記の第二引掛りブロックと当たるかつ一端が前記の第十二溝に挿入する第三引掛りブロックが設置され、前記の第三引掛りブロックと前記の第十二溝の間に第二ばねが固定に接続され、前記の第十溝に前記の第十溝に上下にスライドするかつ下端が前記の第二引掛りブロックと対合する第二起動ブロックが設置され、前記の第二起動ブロックの左右側の内壁に前記の第一引掛りブロックと対合するカードスロットが対称に設置され、前記の第二起動ブロックの上端に握りブロックが接続され、前記の第一起動ブロックの上端に上に向かう第十三溝が左右対称に設置され、前記の握りブロックの下端に前記の第十三溝と対合する第四引掛りブロックが左右対称で固定に接続され、前記の第一起動ブロックの下端に導線装置が固定に設置され、前記の第九溝の右側の内壁に導線を通じて前記の第九溝に連通する蓄電池が固定に設置され、前記の第九溝の左側の内壁に総電力出力導線が設置され、前記の運搬装置が前記の第九溝の下側の内壁にある運搬筐体を含み、前記の運搬筐体に運搬輪装置が設置され、前記の運搬筐体の下側の内壁の右側にカード筐体が連通し設置され、前記のカード筐体の右側の内壁に右に向かう第十四溝が設置され、前記の第十四溝の上側の内壁に第三電機が固定に設置され、前記の第三電機の下端に下端が軸受を通じて前記の第十四溝の下側の内壁に回転し係合し接続される第三親ねじが動力で係合し接続され、前記の第三親ねじに前記の第十四溝に上下にスライドする運搬板がねじで係合し接続され、前記のカード筐体の左側の内壁に前記の運搬筐体に連通するかつ前記の第八溝と位置合わせるカード出し穴が貫通し設置され、
前記の蓄電池の上端に装置主体を通過する充電導線が設置され、前記の充電導線が前記の蓄電池に充電でき、前記の蓄電池の右側にボルトを通じて前記の装置主体の右端に係合し接続し固定される封鎖板が設置され、前記の封鎖板を開けて前記の蓄電池を取り替えることができ、前記の装置主体の左端面の上端に感応装置が固定に接続され、前記の感応装置がスタッフに感応すると装置を作業させ、前記の第八溝の左側の内壁にカード感応器が固定に接続され、
前記の固定装置が前記の装置主体の左右両端に対称で固定に接続される底板ブロックを含み、前記の底板ブロックに上下に貫通するボルト穴が設置され、前記のボルト穴と地面をボルトで係合し接続することで装置の安定性を増加できることを特徴とする携帯式電力自動化装置。
【手続補正２】
【補正対象書類名】明細書
【補正対象項目名】全文
【補正方法】変更
【補正の内容】
【発明の詳細な説明】
【技術分野】
【０００１】
本発明は機電自動化分野に関し、具体的には、携帯式電力自動化装置である。
【背景技術】
【０００２】
我が国は現在に自動化技術レバルがますます向上し、生活においても自動化装置を使用することがある。例えば、公の場所でカードを配るまたは道路でカードを取り出す時に電力駆動の自動化装置が必要だと思う。従来の装置より電力で知能かつ自動化のカードの配りができ、電力不足の時に蓄電池を取り替えればまたは充電すればよく、導線装置を外して第二起動ブロックを取れば装置を停止でき、スタッフの使用に便利を与え、応用の範囲も広い。したがって、知能化の携帯式電力自動化装置を設計するのが実に必要である。
【先行技術文献】
【特許文献】
【０００３】
【特許文献１】中国特許出願公開第１０４０９２５８０号明細書
【発明の概要】
【発明が解決しようとする課題】
【０００４】
本発明の目的は上記の背景技術に提出された問題を解決するための携帯式電力自動化装置を提供することにある。
【０００５】
上記の目的を実現するために、本発明には、本発明の携帯式電力自動化装置は装置主体、前記の装置主体の左側の設置される自動装置、前記の装置主体に設置される起動装置、前記の装置主体に設置される運搬装置と前記の装置主体の左右両側に設置される固定装置を含み、前記の自動装置が前記の装置主体の左端に設置される左に向かう第一溝を含み、前記の第一溝の下側の内壁に第一電機が固定に設置され、前記の第一電機の上端に第一親ねじが動力で係合し接続され、前記の第一親ねじの上端が軸受を通じて前記の第一溝の上側の内壁に回転し係合し接続され、前記の第一親ねじに前記の第一溝の上下にスライドする昇降ブロックがねじで係合し接続され、前記の昇降ブロックの上端に上に向かう第二溝が設置され、前記の第一溝の上側の内壁に第二溝と対合する接続ブロックが固定に接続され、前記の第二溝の左側の内壁に右に向かう第三溝が設置され、前記の第三溝に前記の第三溝に左右にスライドできるかつ右端が前記の接続ブロックと対合するキャッチバーが設置され、前記の第三溝の上下側の内壁に開口が向かい合う第四溝が対称に設置され、前記のキャッチバーの上下端に前記の第四溝に挿入できるかつ前記の第四溝の内壁にスライドし係合し接続される固定ブロックが対称に固定に接続され、前記の固定ブロックの左端にその他の一端が前記の第四溝の右側の内壁に固定に接続される戻しばねが固定に接続され、前記の第三溝の左側の内壁に第一伝動筐体が連通し設置され、前記のキャッチバーの左端が前記の第一伝動筐体に挿入するかつ前記のキャッチバーの左端に前記の第一伝動筐体に左右にスライドする電機ブロックが固定に接続され、前記の第一伝動筐体の左右側の内壁に開口が向かい合う第五溝が対称に設置され、前記の電機ブロックの前後端に前記の第五溝に挿入するかつ前記の第五溝にスライドし係合し接続されるガセットブロックが対称に固定に接続され、前記の第一伝動筐体の下側の内壁に第二伝動筐体が連通し設置され、前記の電機ブロックの下端に第二電機が固定に設置され、前記の第二電機の下端に前記の第二伝動筐体に挿入する第一回転軸が動力で係合し接続され、前記の第一回転軸の下端に第一主動斜歯歯車が固定に接続され、前記の第二伝動筐体の下側の内壁に第三伝動筐体が設置され、前記の第三伝動筐体に上端が前記の第二伝動筐体に挿入するかつ前記の第一主動斜歯歯車と噛合い係合し接続される第一従動斜歯歯車が設置され、前記の第一従動斜歯歯車の軸心に前後端がそれぞれ軸受を通じて前記の第三伝動筐体の左右側の内壁に回転し係合し接続される第二回転軸が固定に接続され、前記の昇降ブロックの下端に下に向かうかつ前記の第三伝動筐体の左側の内壁と連通する第六溝が設置され、前記の第六溝に上端が前記の第二伝動筐体に挿入するかつ軸受を通じて前記の第二伝動筐体の上側の内壁に回転し係合し接続される第三回転軸が設置され、前記の第一回転軸に第一主動歯車が固定に接続され、前記の第二伝動筐体に位置する前記の第三回転軸に前記の第一主動歯車と位置合わせて噛合に係合し接続される第一従動歯車が固定に接続され、前記の第三回転軸の下端に作業ブロックが固定に接続され、前記の作業ブロックに作業装置が設置される。
【０００６】
好ましい技術プランとして、前記の作業装置が前記の作業ブロックの左右端に対称に固定に設置されるサポートプレートを含み、前記の昇降ブロックの下端に環状ガセット溝が左右対称に設置され、前記のサポートプレートの上端に前記の環状ガセット溝に挿入するかつスライドし係合し接続されるサポートガセットが固定に接続され、前記の作業ブロックの右端に右に向かう第七溝が設置され、前記の第七溝に下端が軸受を通じて前記の第七溝の下側の内壁に回転し係合し接続される第二親ねじが設置され、前記の第六溝の上内壁に下に向かう環状溝が設置され、前記の環状溝の内壁に軸受ガセット装置がスライドし係合し接続され、前記の第二親ねじの上端が前記の第六溝に挿入するかつ軸受を通じて前記の軸受ガセット装置の下端に回転し係合し接続され、前記の第六溝に位置する前記の第二親ねじに右端が前記の第三伝動筐体に挿入する第二従動斜歯歯車が固定に接続され、前記の第二回転軸に前記の第二従動斜歯歯車と噛合い係合し接続される第二主動斜歯歯車が固定に接続され、前記の第七溝に位置する前記の第二親ねじに前記の第七溝に上下に移動する挟みブロックがねじで係合し接続され、前記の挟みブロックに排気装置が固定に設置され、前記の挟みブロックの右端に右に向かう第八溝が設置され、前記の第八溝の上側の内壁と前記の排気装置の間に空気バイブが連通し設置され、前記の第八溝に上下にスライドする挟み板が設置され、前記の挟み板の上端が前記の空気バイブの押出装置に固定に接続される。
【０００７】
好ましい技術プランとして、前記の起動装置が前記の装置主体の上端に設置される上に向かう第九溝を含み、前記の第九溝に第一起動ブロックが回転軸を通じて回転し係合し接続され、前記の第一起動ブロックの上端に上に向かう第十溝が設置され、前記の第十溝の左右側の内壁に第一スルーホールが対称に設置され、前記の第十溝の左右側の内壁と前記の第一スルーホールの下側に第二スルーホールが対称に設置され、前記の第九溝の左右側の内壁に開口が向かい合うかつそれぞれ前記の第一スルーホール及び第二スルーホールと位置合わせの第十一溝と第十二溝が対称に設置され、前記の第十一溝と第一スルーホールに左右にスライドする第一引掛りブロックが設置され、前記の第一引掛りブロックの上下端に前記の第一スルーホールの上下側の内壁に対称に設置される開口が相対する導滑溝に挿入する第一定向ブロックが固定に接続され、前記の第一定向ブロックの右端又は左端には、一端が前記の導滑溝のうち前記の第十一溝の片側に近接する内壁に固定的に接続される第一ばねが、固定的に接続され、前記の第二スルーホールに左右にスライドする第二引掛りブロックが設置され、前記の第二スルーホールの上下側の内壁に開口が相対する定向溝が対称に設置され、前記の第二引掛りブロックの上下端に前記の定向溝に挿入するかつ左右にスライドする第二定向ブロックが対称に固定に設置され、前記の第二スルーホールに左右にスライドするかつ前記の第二引掛りブロックと当たるかつ一端が前記の第十二溝に挿入する第三引掛りブロックが設置され、前記の第三引掛りブロックと前記の第十二溝の間に第二ばねが固定に接続され、前記の第十溝に前記の第十溝に上下にスライドするかつ下端が前記の第二引掛りブロックと対合する第二起動ブロックが設置され、前記の第二起動ブロックの左右側の内壁に前記の第一引掛りブロックと対合するカードスロットが対称に設置され、前記の第二起動ブロックの上端に握りブロックが接続され、前記の第一起動ブロックの上端に上に向かう第十三溝が左右対称に設置され、前記の握りブロックの下端に前記の第十三溝と対合する第四引掛りブロックが左右対称で固定に接続され、前記の第一起動ブロックの下端に導線装置が固定に設置され、前記の第九溝の右側の内壁に導線を通じて前記の第九溝に連通する蓄電池が固定に設置され、前記の第九溝の左側の内壁に総電力出力導線が設置される。
【０００８】
好ましい技術プランとして、前記の運搬装置が前記の第九溝の下側の内壁にある運搬筐体を含み、前記の運搬筐体に運搬輪装置が設置され、前記の運搬筐体の下側の内壁の右側にカード筐体が連通し設置され、前記のカード筐体の右側の内壁に右に向かう第十四溝が設置され、前記の第十四溝の上側の内壁に第三電機が固定に設置され、前記の第三電機の下端に下端が軸受を通じて前記の第十四溝の下側の内壁に回転し係合し接続される第三親ねじが動力で係合し接続され、前記の第三親ねじに前記の第十四溝に上下にスライドする運搬板がねじで係合し接続され、前記のカード筐体の左側の内壁に前記の運搬筐体に連通するかつ前記の第八溝と位置合わせるカード出し穴が貫通し設置される。
【０００９】
好ましい技術プランとして、前記の蓄電池の上端に装置主体を通過する充電導線が設置され、前記の充電導線が前記の蓄電池に充電でき、前記の蓄電池の右側にボルトを通じて前記の装置主体の右端に係合し接続し固定される封鎖板が設置され、前記の封鎖板を開けて前記の蓄電池を取り替えることができる。
【００１０】
好ましい技術プランとして、前記の装置主体の左端面の上端に感応装置が固定に接続され、前記の感応装置がスタッフに感応すると装置を作業させ、前記の第八溝の左側の内壁にカード感応器が固定に接続される。
【００１１】
好ましい技術プランとして、前記の固定装置が前記の装置主体の左右両端に対称で固定に接続される底板ブロックを含み、前記の底板ブロックに上下に貫通するボルト穴が設置され、前記のボルト穴と地面をボルトで係合し接続することで装置の安定性を増加できる。
【発明の効果】
【００１２】
本発明の有益効果は：本発明は構造が簡単で、操作が便利で、本装置を通じて自動化カード取り作業を行う時、本装置を通じて自動化カード取り作業を行う時、スタッフが第二起動ブロックを挿入することで第一引掛りブロックをカードスロットに挿入させ、第二引掛りブロックが第二スルーホールに押し込まれて第三引掛りブロックを連れて第十二溝に挿入して第一起動ブロックに引っ掛らなく、この時、第四引掛りブロックが第十三溝に挿入して第一起動ブロックを回転し、導線装置を総電力出力導線と位置合わせて装置に電流を通し、この時に、感応装置が感応する時に運搬輪装置が回転してカードを第八溝に入れ、カード感応器が感応し、排気装置が起動してカードを挟み、この後、第二電機が起動して第一主動歯車を連れて回転して第一従動斜歯歯車を連れて回転し、それによって第二回転軸が第二主動斜歯歯車を連れて回転し、それによって第二従動斜歯歯車が第二親ねじを連れて回転して挟みブロックを上に移動し、同時に第一電機が起動して第一親ねじを連れて回転して昇降ブロックを一番高いところに移動し、この時、第二電機が第二溝に挿入してキャッチバーを左に移動し、それによって電機ブロックが左に移動し、第一主動歯車と第一従動歯車が噛み合い、第二電機が起動して第三回転軸を連れて作業ブロックを回転し、それによって第八溝が回転してスタッフに向かい、カードが取り出された後で初期状態に戻り、第一電機が回転して昇降ブロックを連れて下に移動し、キャッチバーが初期位置に戻り、電機ブロックが右に移動して初期状態に戻る時に第二電機が起動して第二親ねじを連れて回転し、挟みブロックが初期状態に戻って次のスタッフを待ち、電力が不足になると充電導線を通じて蓄電池に充電でき、封鎖板を開けて蓄電池を取り替えることができ、本装置は電力で知能かつ自動的にカードを配って、人力運営時間を減少し、電力不足の時に蓄電池を取り替えればまたは充電すればよく、導線装置を外して第二起動ブロックを取れば装置を停止でき、スタッフの使用に便利を与え、応用の範囲も広い。
【図面の簡単な説明】
【００１３】
説明しやすいため、本発明は以下の具体的な実施例と付図を交え詳しく説明する。
【００１４】
【図１】図１は本発明の携帯式電力自動化装置の内部構造概略図である。
【図２】図２は図１の“Ａ”の拡大概略図である。
【図３】図３は図１の“Ｂ”の拡大概略図である。
【発明を実施するための形態】
【００１５】
図１〜３が示すように、本発明の携帯式電力自動化装置は装置主体１０、前記の装置主体１０の左側の設置される自動装置、前記の装置主体１０に設置される起動装置、前記の装置主体１０に設置される運搬装置と前記の装置主体１０の左右両側に設置される固定装置を含み、
前記の自動装置が前記の装置主体１０の左端に設置される左に向かう第一溝１１を含み、前記の第一溝１１の下側の内壁に第一電機１２が固定に設置され、前記の第一電機１２の上端に第一親ねじ１３が動力で係合し接続され、前記の第一親ねじ１３の上端が軸受を通じて前記の第一溝１１の上側の内壁に回転し係合し接続され、前記の第一親ねじ１３に前記の第一溝１１の上下にスライドする昇降ブロック１４がねじで係合し接続され、前記の昇降ブロック１４の上端に上に向かう第二溝１５が設置され、前記の第一溝１１の上側の内壁に第二溝１５と対合する接続ブロック２５が固定に接続され、前記の第二溝１５の左側の内壁に右に向かう第三溝１６が設置され、前記の第三溝１６に前記の第三溝に左右にスライドできるかつ右端が前記の接続ブロック２５と対合するキャッチバー１７が設置され、前記の第三溝１６の上下側の内壁に開口が向かい合う第四溝１８が対称に設置され、前記のキャッチバー１７の上下端に前記の第四溝１８に挿入できるかつ前記の第四溝１８の内壁にスライドし係合し接続される固定ブロック１９が対称に固定に接続され、前記の固定ブロック１９の左端にその他の一端が前記の第四溝１８の右側の内壁に固定に接続される戻しばね２０が固定に接続され、前記の第三溝１６の左側の内壁に第一伝動筐体２１が連通し設置され、前記のキャッチバー１７の左端が前記の第一伝動筐体２１に挿入するかつ前記のキャッチバー１７の左端に前記の第一伝動筐体２１に左右にスライドする電機ブロック２３が固定に接続され、前記の第一伝動筐体２１の左右側の内壁に開口が向かい合う第五溝２２が対称に設置され、前記の電機ブロック２３の前後端に前記の第五溝２２に挿入するかつ前記の第五溝２２にスライドし係合し接続されるガセットブロックが対称に固定に接続され、前記の第一伝動筐体２１の下側の内壁に第二伝動筐体２４が連通し設置され、前記の電機ブロック２３の下端に第二電機９９が固定に設置され、前記の第二電機９９の下端に前記の第二伝動筐体２４に挿入する第一回転軸２６が動力で係合し接続され、前記の第一回転軸２６の下端に第一主動斜歯歯車２７が固定に接続され、前記の第二伝動筐体２４の下側の内壁に第三伝動筐体２８が設置され、前記の第三伝動筐体２８に上端が前記の第二伝動筐体２４に挿入するかつ前記の第一主動斜歯歯車２７と噛合い係合し接続される第一従動斜歯歯車２９が設置され、前記の第一従動斜歯歯車２９の軸心に前後端がそれぞれ軸受を通じて前記の第三伝動筐体２８の左右側の内壁に回転し係合し接続される第二回転軸３０が固定に接続され、前記の昇降ブロック１４の下端に下に向かうかつ前記の第三伝動筐体２８の左側の内壁と連通する第六溝３１が設置され、前記の第六溝３１に上端が前記の第二伝動筐体２４に挿入するかつ軸受を通じて前記の第二伝動筐体２４の上側の内壁に回転し係合し接続される第三回転軸３２が設置され、前記の第一回転軸２６に第一主動歯車３５が固定に接続され、前記の第二伝動筐体２４に位置する前記の第三回転軸３２に前記の第一主動歯車３５と位置合わせて噛合に係合し接続される第一従動歯車３３が固定に接続され、前記の第三回転軸３２の下端に作業ブロック３４が固定に接続され、前記の作業ブロック３４に作業装置が設置される。
【００１６】
有益なことは、前記の作業装置が前記の作業ブロック３４の左右端に対称に固定に設置されるサポートプレート８４を含み、前記の昇降ブロック１４の下端に環状ガセット溝８６が左右対称に設置され、前記のサポートプレート８４の上端に前記の環状ガセット溝８６に挿入するかつスライドし係合し接続されるサポートガセット８５が固定に接続され、前記の作業ブロック３４の右端に右に向かう第七溝３６が設置され、前記の第七溝３６に下端が軸受を通じて前記の第七溝３６の下側の内壁に回転し係合し接続される第二親ねじ３７が設置され、前記の第六溝３１の上内壁に下に向かう環状溝３８が設置され、前記の環状溝３８の内壁に軸受ガセット装置３９がスライドし係合し接続され、前記の第二親ねじ３７の上端が前記の第六溝３１に挿入するかつ軸受を通じて前記の軸受ガセット装置３９の下端に回転し係合し接続され、前記の第六溝３１に位置する前記の第二親ねじ３７に右端が前記の第三伝動筐体２８に挿入する第二従動斜歯歯車４０が固定に接続され、前記の第二回転軸３０に前記の第二従動斜歯歯車４０と噛合い係合し接続される第二主動斜歯歯車４１が固定に接続され、前記の第七溝３６に位置する前記の第二親ねじ３７に前記の第七溝３６に上下に移動する挟みブロック４２がねじで係合し接続され、前記の挟みブロック４２に排気装置４３が固定に設置され、前記の挟みブロック４２の右端に右に向かう第八溝４４が設置され、前記の第八溝４４の上側の内壁と前記の排気装置４３の間に空気バイブ４５が連通し設置され、前記の第八溝４４に上下にスライドする挟み板４６が設置され、前記の挟み板４６の上端が前記の空気バイブ４５の押出装置４７に固定に接続される。
【００１７】
有益なことは、前記の起動装置が前記の装置主体１０の上端に設置される上に向かう第九溝４８を含み、前記の第九溝４８に第一起動ブロック４９が回転軸を通じて回転し係合し接続され、前記の第一起動ブロック４９の上端に上に向かう第十溝５０が設置され、前記の第十溝５０の左右側の内壁に第一スルーホール５１が対称に設置され、前記の第十溝５０の左右側の内壁と前記の第一スルーホール５１の下側に第二スルーホール５２が対称に設置され、前記の第九溝４８の左右側の内壁に開口が向かい合うかつそれぞれ前記の第一スルーホール５１及び第二スルーホール５２と位置合わせの第十一溝５３と第十二溝５４が対称に設置され、前記の第十一溝５３と第一スルーホール５１に左右にスライドする第一引掛りブロック５５が設置され、前記の第一引掛りブロック５５の上下端に前記の第一スルーホール５１の上下側の内壁に対称に設置される開口が相対する導滑溝５６に挿入する第一定向ブロック５７が固定に接続され、前記の第一定向ブロック５７の右端又は左端には、一端が前記の導滑溝５６のうち前記の第十一溝５３の片側に近接する内壁に固定的に接続される第一ばね５８が、固定的に接続され、前記の第二スルーホール５２に左右にスライドする第二引掛りブロック５９が設置され、前記の第二スルーホール５２の上下側の内壁に開口が相対する定向溝６０が対称に設置され、前記の第二引掛りブロック５９の上下端に前記の定向溝６０に挿入するかつ左右にスライドする第二定向ブロック６１が対称に固定に設置され、前記の第二スルーホール５２に左右にスライドするかつ前記の第二引掛りブロック５９と当たるかつ一端が前記の第十二溝５４に挿入する第三引掛りブロック６２が設置され、前記の第三引掛りブロック６２と前記の第十二溝５４の間に第二ばね６３が固定に接続され、前記の第十溝５０に前記の第十溝５０に上下にスライドするかつ下端が前記の第二引掛りブロック５９と対合する第二起動ブロック６４が設置され、前記の第二起動ブロック６４の左右側の内壁に前記の第一引掛りブロック５５と対合するカードスロットが６５対称に設置され、前記の第二起動ブロック６４の上端に握りブロック６６が接続され、前記の第一起動ブロック４９の上端に上に向かう第十三溝６７が左右対称に設置され、前記の握りブロック６６の下端に前記の第十三溝６７と対合する第四引掛りブロック６８が左右対称で固定に接続され、前記の第一起動ブロック６４の下端に導線装置６９が固定に設置され、前記の第九溝４８の右側の内壁に導線を通じて前記の第九溝４８に連通する蓄電池７０が固定に設置され、前記の第九溝４８の左側の内壁に総電力出力導線７１が設置される。
【００１８】
有益なことは、前記の運搬装置が前記の第九溝４８の下側の内壁にある運搬筐体７２を含み、前記の運搬筐体７２に運搬輪装置７３が設置され、前記の運搬筐体７２の下側の内壁の右側にカード筐体７４が連通し設置され、前記のカード筐体７４の右側の内壁に右に向かう第十四溝７５が設置され、前記の第十四溝７５の上側の内壁に第三電機７６が固定に設置され、，前記の第三電機７６の下端に下端が軸受を通じて前記の第十四溝７５の下側の内壁に回転し係合し接続される第三親ねじ７７が動力で係合し接続され、前記の第三親ねじ７７に前記の第十四溝７５に上下にスライドする運搬板７８がねじで係合し接続され、前記のカード筐体７４の左側の内壁に前記の運搬筐体に連通するかつ前記の第八溝４４と位置合わせるカード出し穴７９が貫通し設置される。
【００１９】
有益なことは、前記の蓄電池７０の上端に装置主体１０を通過する充電導線８０が設置され、前記の充電導線８０が前記の蓄電池７０に充電でき、前記の蓄電池７０の右側にボルトを通じて前記の装置主体１０の右端に係合し接続し固定される封鎖板８１が設置され、前記の封鎖板８１を開けて前記の蓄電池７０を取り替えることができる。
【００２０】
有益なことは、前記の装置主体１０の左端面の上端に感応装置８２が固定に接続され、前記の感応装置８２がスタッフに感応すると装置を作業させ、前記の第八溝４４の左側の内壁にカード感応器８３が固定に接続される。
【００２１】
有益なことは、前記の固定装置が前記の装置主体１０の左右両端に対称で固定に接続される底板ブロック９０を含み、前記の底板ブロック９０に上下に貫通するボルト穴９１が設置され、前記のボルト穴９１と地面をボルトで係合し接続することで装置の安定性を増加できる。
【００２２】
初期状態にある時、挟みブロック４２が一番下側にあるかつ第八溝４４の開口がカード出し穴７９に向かい、昇降ブロック１４が一番下端にあり、電機ブロック２３が一番右側で第一主動歯車５７と第一従動斜歯歯車２９を噛合で係合し接続させ、第一引掛りブロック５５が第一スルーホール５１に挿入して引掛り、第三引掛りブロック６２が第二スルーホール５２に挿入して引掛り、導線装置６９が総電力出力導線７１と外れて接続されていない。
【００２３】
本装置を通じて自動化カード取り作業を行う時、スタッフが第二起動ブロック６４を挿入することで第一引掛りブロック５５をカードスロット６５に挿入させ、第二引掛りブロック５９が第二スルーホール５２に押し込まれて第三引掛りブロック６２を連れて第十二溝５４に挿入して第一起動ブロック４９に引っ掛らなく、この時、第四引掛りブロック６８が第十三溝６７に挿入して第一起動ブロック４９を回転し、導線装置６９を総電力出力導線７１と位置合わせて装置に電流を通し、この時に、感応装置８２が感応する時に運搬輪装置７３が回転してカードを第八溝４４に入れ、カード感応器８３が感応し、排気装置が起動してカードを挟み、この後、第二電機９９が起動して第一主動歯車５７を連れて回転して第一従動斜歯歯車２９を連れて回転し、それによって第二回転軸３０が第二主動斜歯歯車４１を連れて回転し、それによって第二従動斜歯歯車４０が第二親ねじ３７を連れて回転して挟みブロック４２を上に移動し、同時に第一電機１２が起動して第一親ねじ１３を連れて回転して昇降ブロック１４を一番高いところに移動し、この時、第二電機９９が第二溝１５に挿入してキャッチバー１７を左に移動し、それによって電機ブロック２３が左に移動し、第一主動歯車３５と第一従動歯車３３が噛み合い、第二電機９９が起動して第三回転軸を連れて作業ブロックを回転し、それによって第八溝４４が回転してスタッフに向かい、カードが取り出された後で初期状態に戻り、第一電機１２が回転して昇降ブロック１４を連れて下に移動し、キャッチバー１７が初期位置に戻り、電機ブロック２３が右に移動して初期状態に戻る時に第二電機９９が起動して第二親ねじ３７を連れて回転し、挟みブロック４２が初期状態に戻って次のスタッフを待ち、電力が不足になると充電導線８０を通じて蓄電池７０に充電でき、封鎖板８１を開けて蓄電池を取り替えることができる。
【手続補正３】
【補正対象書類名】図面
【補正対象項目名】図２
【補正方法】変更
【補正の内容】
【図２】
2019204470.tif 000006